(57)【特許請求の範囲】
【請求項１】
発泡性合成樹脂材による多孔質体からなる薬液塗布部材を取り付けるための医療用薬液塗布具用把持柄であって、
把持部と、前記把持部とは反対の側の先端部にあって前記薬液塗布部材に形成されている底部スリット状切り込みに差し込まれる帯状片部と、前記帯状片部より前記把持部の側の中間部分の表裏両面に各々ヒンジ接続され前記帯状片部に差し込まれた前記薬液塗布部材を前記帯状片部との間に挟み込むクランプする挟持片部とを有し、
前記帯状片部の先端側に、側面から見て先端側が尖った三角形状の逆止形状部が形成され、  前記挟持片部には、前記帯状片部に差し込まれた前記薬液塗布部材を突き破って前記帯状片部に逆止係合する係止係合部が形成されている医療用薬液塗布具用把持柄。
【請求項２】
発泡性合成樹脂材による多孔質体からなる薬液塗布部材を取り付けるための医療用薬液塗布具用把持柄であって、
把持部と、前記把持部とは反対の側の先端部にあって前記薬液塗布部材に形成されている底部スリット状切り込みに差し込まれる帯状片部と、前記帯状片部より前記把持部の側の中間部分の表裏両面に各々ヒンジ接続され前記帯状片部に差し込まれた前記薬液塗布部材を前記帯状片部との間に挟み込むクランプする挟持片部とを有し、
前記帯状片部の先端側に、側面から見て先端側が尖った三角形状の逆止形状部が形成され、
前記挟持片部には、前記帯状片部に差し込まれた前記薬液塗布部材に形成されている側部スリット状切り込みに差し込まれてこれを貫通し、前記帯状片部に逆止係合する係止係合片が形成されている医療用薬液塗布具用把持柄。
【請求項３】
発泡性合成樹脂材による多孔質体からなる薬液塗布部材が請求項１または２に記載の医療用薬液塗布具用把持柄に取り付けられている医療用薬液塗布具。
【発明の詳細な説明】
【技術分野】
【０００１】
本発明は、スポンジのような発泡性合成樹脂材による多孔質体からなる薬液塗布部材を取り付けられる医療用薬液塗布具及びその把持柄に関するものである。
【背景技術】
【０００２】
医療現場において、患者の患部（医療処置部）に消毒液等の薬液を塗布する医療用用具として、プラスチック等の熱可塑性樹脂材などで形成された把持柄の先端に、薬液を含浸するウレタン製、ポリエチレン製もしくはセルロース製等のスポンジのような多孔質体による薬液塗布部材を取り付けられた薬液塗布具（柄付きスポンジ）の開発が進められている。
【０００３】
このような柄付きスポンジは、薬液を含浸したガーゼや綿球及びウレタン製、ポリエチレン製及びセルロース製等のスポンジ等をピンセットで挟んで薬液を塗布する従前の作業に比して操作が簡単なことや、スポンジ等のリントの発生がない、もしくはその発生が抑えられたものを使用すれば、綿球の使用時にその性質上毛羽立ちが避けられず、剃毛部位等の消毒部位や使用する器具にリントが付着しないように注意する必要もないことから、処置の緊急性に優れ、薬液の塗布作業を簡素に的確に行えることを期待できる。
【０００４】
合成樹脂により構成された把持柄にウレタン製、ポリエチレン製もしくはセルロース製等のスポンジ等による薬液塗布部材を取り付ける手法としては、薬液塗布部材の中心部にスロット状の裂け目を形成するなどし、そこへ把持柄の先端部を差し込み、超音波、高周波又は加熱体による熱融着によって薬液塗布部材を把持柄に固着する手法が考えられる。
【０００５】
なお、薬液を皮膚に塗布する薬液塗布具として、球状の薬液吸収材がハンドル部材に形成された半球状の凹部に嵌め込まれ、薬液吸収材が接着剤やかしめによってハンドル部材に固着されたものがある（例えば、特許文献１）。
【特許文献１】特開平１０−３１４３１４号公報
【発明の開示】
【発明が解決しようとする課題】
【０００６】
薬液塗布を行う柄付きスポンジは、薬液等の吸収に優れ、むら無く塗布できるスポンジ等（薬液塗布部材）を用い、該スポンジ等の把持柄に対する家庭用の同等品に比して、より高い確実性、信頼性を要求される。
【０００７】
特に、手術時の術前消毒や術後の縫合部の消毒に用いるようなものでは、これらのことを強く要求され、該スポンジが持てるだけの吸液機能を発揮して薬液等を含浸し、薬液の重量分重くなることによって、もしくは薬液（消毒液）等によって、該スポンジと把持柄の固着強度が弱まり、該スポンジが使用中に把持柄より脱落しない高い信頼性がなくてはならない。
【０００８】
このことに対して、熱融着による薬液塗布部材の固着（固定）は、それらのことを満足すると考えられる。しかし、熱融着による薬液塗布部材の固着（固定）は、加熱融着の設備を要し、その上、薬液塗布部材を把持柄に予め仮付けする工程を要することもある。このため、設備費用、製造時間が嵩みがちで、製造コストの低減が難しい。これは、使い捨てにて使用される柄付きスポンジは安価なものが求められるため、コスト面ではふさわしくない固着（固定）方法である。
【０００９】
また、医療現場での消毒処置のために、薬液として、アルコール系消毒液をスポンジに含浸させると、把持柄との固着強度が弱まり、スポンジが把持柄より外れる虞があるため、従来、熱融着によって固着されている柄付きスポンジを、アルコール系消毒液含浸に積極的に使用することはできなかった。
【００１０】
本発明が解決しようとする課題は、医療用柄付きスポンジと呼ばれるような医療用薬液塗布具において、熱融着によることなく、薬液塗布部材の把持柄に対する固着（固定）について、高い耐脱落性、信頼性を得ることである。
【課題を解決するための手段】
【００１１】
本発明による医療用薬液塗布具用把持柄は、発泡性合成樹脂材による多孔質体からなる薬液塗布部材を取り付けるための医療用薬液塗布具用把持柄であって、把持部と、前記把持部とは反対の側の先端部にあって前記薬液塗布部材に形成されている底部スリット状切り込みに差し込まれる帯状片部と、前記帯状片部より前記把持部の側の中間部分の表裏両面に各々ヒンジ接続され前記帯状片部に差し込まれた前記薬液塗布部材を前記帯状片部との間に挟み込むクランプする挟持片部とを有し、前記帯状片部の先端側に、側面から見て先端側が尖った三角形状の逆止形状部が形成されている。
【００１２】
本発明による医療用薬液塗布具用把持柄は、好ましくは、前記挟持片部に、前記帯状片部に差し込まれた前記薬液塗布部材を突き破って前記帯状片部に逆止係合する係止係合部が形成されている。
【００１３】
本発明による医療用薬液塗布具用把持柄は、好ましくは、前記挟持片部に、前記帯状片部に差し込まれた前記薬液塗布部材に形成されている側部スリット状切り込みに差し込まれてこれを貫通し、前記帯状片部に逆止係合する係止係合片が形成されている。
【００１４】
本発明による医療用薬液塗布具用把持柄は、好ましくは、前記挟持片部には、前記帯状片部と対向する先端面部に凹凸形状を形成された押さえ突起部が形成されている。
【００１５】
本発明による医療用薬液塗布具用把持柄は、更に好ましくは、前記押さえ突起部が、互いに隣接して複数個設けられており、互いに隣接する前記押さえ突起部間に入り込む突部が前記帯状片部に形成されている。
【００１６】
本発明による医療用薬液塗布具は、ウレタン製、ポリエチレン製もしくはセルロース製等に代表されるスポンジ等の発泡性合成樹脂材による多孔質体からなる薬液塗布部材が上述の発明による医療用薬液塗布具用把持柄に取り付けられている。
【発明の効果】
【００１７】
本発明による医療用薬液塗布具用把持柄、医療用薬液塗布具は、薬液塗布部材が、底部スリット状切り込みに、把持柄の帯状片部を差し込まれた状態で、挟持片部と帯状片部との間に挟み込まれて、挟み込み式にクランプされる。このクランプ状態において、薬液塗布部材は、帯状片部の先端側に形成されている三角形状の逆止形状部の形成に倣って変形し、抜け止めされる。
【００１８】
これにより、スポンジ等の薬液塗布部材を熱融着に拠ることなく、薬液塗布部材が把持柄に対して、高い耐脱落性、信頼性をもって固着（固定）される。
【００１９】
薬液塗布部材の把持柄に対する装着（固着）は、底部スリット状切り込みに、把持柄の帯状片部を差し込み、挟持片部をクランプ位置に移動させるだけでよく、組み付け作業を特別な工具を用いることなく、簡便に、迅速に行うことができる。
【００２０】
更に、係止係合部、係止係合片、押さえ突起部、突部などが設けられていることにより、薬液塗布部材の把持柄に対する固着（固定）が、より一層高い信頼性をもって行われ、薬液塗布部材の耐脱落性が、より一層高くなる。
【発明を実施するための最良の形態】
【００２１】
この発明による医療用薬液塗布具用把持柄、医療用薬液塗布具の実施形態１を、図１〜図５を参照して説明する。
【００２２】
本実施形態の医療用薬液塗布具は、薬液塗布部材１０と、医療用薬液塗布具用把持柄（以下、把持柄と云う）２０とにより構成されている。
【００２３】
薬液塗布部材１０は、図５に示されているように、直方体形状で、高吸水性を有するウレタンスポンジ等、発泡性合成樹脂材による多孔質体により構成されている。なお、薬液塗布部材１０を構成するスポンジ等は、高吸収性を有し、むら無く塗布できる、医療用（薬液や消毒液塗布用）に適したものであればよく、特に限定されるものではないが、ウレタン製の他に、例えば、ポリエチレン製、アクリル製、メラミン製、合成ゴム製もしくはセルロース製等のものが挙げられる。
【００２４】
また薬液塗布部材１０のサイズ、形状においても前記と同様に特に限定されるものではないが、厚さＴが１０〜４０ｍｍ、幅Ｗが２０〜７０ｍｍ、長さＨが１０〜１５０ｍｍ程度のサイズが好ましく、形状としては立方体から直方体形状、立方体から直方体の把持柄とは逆側の先端部がR状の形状、円柱状から楕円柱状、又は円柱状から楕円柱状の把持柄とは逆側の先端部がR状の形状であってよく、使用用途に応じて適宜選択することができる。
【００２５】
なお、薬液塗布部材１０のスポンジ等の密度は、１０〜１００ kg/m3程度、好ましくは６０〜９０ kg/m3程度、より好ましくは６５〜８５ kg/m3程度である。本明細書において、スポンジ等の密度とは、ＪＩＳ  Ｋ  ６４００により測定した値を意味する。
【００２６】
また、薬液塗布部材１０のスポンジ等の吸液機能は、好ましくは自重の１〜５０倍程度、より好ましくは５〜３０倍程度の吸液機能を有する。本明細書において、スポンジの吸液機能とは、次に述べる方法により測定した値を意味する。
【００２７】
（１）乾燥した状態（使用する前の状態）のスポンジの重さを量り、（２）３分間水に浸した（水中にスポンジを入れるように、できるだけスポンジの全表面から水を吸収させる）後、（３）１分間金網に載せて水を切り、（４）吸水後のスポンジの重量を量り、（５）増加した重量を乾燥状態の重量で除することにより算出する。
【００２８】
薬液塗布部材１０には、底面１１に切り口を有する底部スリット状切り込み１２が形成されている。底部スリット状切り込み１２は、薬液塗布部材１０の幅Ｗ以下の長さＬａ、薬液塗布部材１０の長さＨ以下の深さ Ｄａを有するが、このとき、幅Ｗと、Ｌａの長さが同じときは、深さＤａは長さＨよりも短いこと、もしくは深さＤａとＨが同じ長さのときは、長さＬａは幅Ｗよりも短いことが必須である。
【００２９】
把持柄２０は、使用者の手にて握られる把持部２１と、薬液塗布部材１０を装着される帯状片部２２と、対をなす挟持片部２３とを有していればよく、特に限定されるものではないが、例えば、全体を、ポリプロピレン（ＰＰ）、ポリスチレン（ＰＳ）、ポリカーボネート（ＰＣ）、ポリアセタール（ＰＯＭ）、ポリメチルメタクリレート（ＰＭＭＡ）、ポリアミド（ＰＡ）、アクリロニトリル／ブタジエン／スチレン共重合体（ＡＢＳ）、アクリロニトリル／スチレン共重合体（ＡＳ）、塩化ビニル（ＰＶＣ）、ポリカーボネート（ＰＣ）、ポリアセタール（ＰＯＭ）、ポリブチレンテレフタレート（ＰＢＴ）、ポリエチレンテレフタレート（ＰＥＴ）、ポリカーボネート（ＰＣ）、変性ポリフェニレンエーテル（ＰＰＥ）、ポリフェニレンサルファイド（ＰＰＳ）、ポリエーテルエーテルケトン（ＰＥＥＫ）、液晶ポリマー（ＬＣＰ）、ポリテトラフロロエチレン（ＰＴＦＥ）、ポリフロロアルコキシ（ＰＦＡ）、ポリエーテルイミド（ＰＥＩ）、ポリアミドイミド（ＰＡＩ）、ポリアリレート（ＰＡＲ）、ポリサルフォン（ＰＳＦ）、ポリエーテルサルフォン（ＰＥＳ）、硬質塩化ビニル、及び前記樹脂材にガラス繊維を混入させた強化樹脂等の合成樹脂により構成された樹脂成形品である。
【００３０】
把持柄２０及び把持部２１、帯状片部２２並びに挟持片部２３の長さと厚さは使用用途等を勘案して適宜選択すればよい。また、挟持片部２３の厚さは、好ましくは１ｍｍ〜５ｍｍ程度であって、より好ましくは１．５ｍｍ〜３．０ｍｍ程度である。
【００３１】
把持部２１は、板状で、より好ましくは両面に窪み２４を形成され、握られやすい瓢箪形の横断面形状を有する。把持柄２０全体の剛性をより確保するためには、把持部２１の板面と帯状片部２２の板面は、互いに９０度、回転変位してもよい。
【００３２】
帯状片部２２は、把持部２１とは反対の側の先端部にあって、薬液塗布部材１０に形成されている底部スリット状切り込み１２内に差し込まれることにより、薬液塗布部材１０を保持する。帯状片部２２に対する薬液塗布部材１０の差し込み量は、帯状片部２２に形成されている矩形の差し込み制限鍔２５に薬液塗布部材１０の底面１１が当接することにより、一義的に規定される。
【００３３】
挟持片部２３は、帯状片部２２の表裏両面の側にあって対をなし、基部端をヒンジ接続部２６によって帯状片部２２より把持部２１の側の中間部分の表裏両面に各々ヒンジ接続されている。挟持片部２３の帯状片部２２に対するヒンジ接続部２６は、他の部分の板厚より薄く、折り曲げ可能な樹脂ヒンジをなしている。
【００３４】
対をなす挟持片部２３が帯状片部２２に対向する板面には、各々、係止片２７が突出形成されている。係止片２７は、先端部に逆止形状の鈎爪部２８を有している。差し込み制限鍔２５の把持部２１の側の面には鈎爪部２８が逆止係合可能な鈎爪部２９が形成されている。帯状片部２２の差し込み制限鍔２５より少し把持部２１の側には、係止片２７の進入溝３０を画定する補強板部３１が形成されている。
【００３５】
係止片２７は、挟持片部２３が、図１、図２に示されているように、開いた状態より、ヒンジ接続部２６を回動中心として帯状片部２２の側に回動されることにより、進入溝３０内に進入し、係止片２７の鈎爪部２８が差し込み制限鍔２５の鈎爪部２９に逆止係合する。この状態は、図３に示されており、この状態を逆止係合状態と云う。
【００３６】
逆止係合状態では、対をなす挟持片部２３は、各々、帯状片部２２とほぼ平行になり、帯状片部２２に差し込まれている薬液塗布部材１０の底面１１の側を、帯状片部２２の表裏両側において、帯状片部２２との間に挟み込み、薬液塗部材１０を挟み込み式にクランプする。
【００３７】
係止片２７の鈎爪部２８と差し込み制限鍔２５の鈎爪部２９との逆止係合状態では、係止片２７が進入溝３０に入り込み、係止片２７の背面側（逆止係合が離脱する側）への変位を、補強板部３１によって阻止されているから、一旦、係止片２７の鈎爪部２８が差し込み制限鍔２５の鈎爪部２９と逆止係合すると、それが外れることがなく、薬液塗部材１０の挟み込み式クランプが解除されることがない。
【００３８】
帯状片部２２の先端側の表裏両面には、側面から見て先端側が尖った三角形状の逆止形状部３２が形成されており、帯状片部２２の先端側が、全体として、狭角による二等辺三角形状の矢尻形をしている。逆止形状部３２は、差し込み制限鍔２５より帯状片部２２の先端側にあり、傾斜面部３３と、差し込み制限鍔２５と平行な逆止面３４とを有する。
【００３９】
逆止形状部３２の逆止面３４と差し込み制限鍔２５とは、当該両者間に、薬液塗布部材１０の差し込み方向（図にて上下方向）に所定の長さを有する薬液塗布部材入り込み凹部３５を、帯状片部２２の表裏両面に各々画定している。
【００４０】
挟持片部２３は、その先端（自由端）が逆止形状部３２の逆止面３４の側の部分に届く長さを有している。液塗布部材入り込み凹部３５は、逆止係合状態にある挟持片部２３によって塞がれる。
【００４１】
挟持片部２３が帯状片部２２と対向する面部の自由端近傍には係止係合ピン３６が突出形成されている。係止係合ピン３６の先端には先が尖った円錐逆止部３７が形成されている。逆止形状部３２の逆止面３４の近くには係止係合ピン３６の円錐逆止部３７が逆止係合するスロット３８が形成されている。
【００４２】
実施形態１における把持柄２０に対する薬液塗布部材１０の取り付けは、図２に示されているように、挟持片部２３が開いている状態で、薬液塗布部材１０の底部スリット状切り込み１２内に帯状片部２２を差し込む。この差し込みは、差し込み制限鍔２５が薬液塗布部材１０の底面１１に当接するまで行う。
【００４３】
これにより、帯状片部２２に対する薬液塗布部材１０の差し込み量が、自ずと既定値になり、薬液塗布部材１０の底部１１の側は逆止形状部３２を乗り越え、その一部は薬液塗布部材入り込み凹部３５に入り込んだ状態になる。
【００４４】
つぎに、図３に示されているように、挟持片部２３を、ヒンジ接続部２６を回動中心として帯状片部２２の側に回動されて係止片２７を進入溝３０内に進入させ、係止片２７の鈎爪部２８を差し込み制限鍔２５の鈎爪部２９に逆止係合させる。
【００４５】
この状態では、液塗布部材入り込み凹部３５が挟持片部２３によって塞がれ、薬液塗布部材１０の底部１１の側（逆止形状部３２を乗り越えた部分）が、薬液塗布部材入り込み凹部３５に入り込んだ状態で、挟持片部２３と帯状片部２２との間に挟み込まれ、挟み込み式にクランプされる。
【００４６】
これにより、薬液塗布部材１０は、帯状片部２２の逆止形状部３２の形成に倣って変形し、特に、薬液塗布部材１０の底部１１の側が、薬液塗布部材入り込み凹部３５に入り込んでいることにより、薬液塗布部材１０が把持柄２０に対して強く抜け止め装着される。
【００４７】
更に、この状態では、係止係合ピン３６の円錐逆止部３７が薬液塗布部材１０を突き破ってスロット３８に逆止係合していることにより、挟持片部２３の逆止係合状態が、より一層、確実になると共に、薬液塗布部材１０の把持柄２０に対する抜け止め装着が、より強固なものになる。
【００４８】
また、さらに強固な該抜け止め装着を求める場合には、スロット３８と同様のものを薬液塗布部材入り込み凹部３５に設置し、これと対応するように円錐逆止部３７が先端に付いた係止係合ピン３６と同様のものを、挟持片部の係止係合ピン３６よりも把持部側に設置すればよく、増設数は1組であっても複数組であってもよい。また薬液塗布部材入り込み凹部３５は、該増設数に応じて適宜広げればよい（図面省略）。
【００４９】
把持柄２０に薬液塗布部材１０が装着された、つまり、柄付きスポンジは、医療用薬液塗布具として、滅菌が可能であって且つ滅菌を施した後に、無菌性を保持できる袋（いわゆる滅菌バッグ）に袋詰めされ、ヒートシール等で密封して滅菌される。
【００５０】
滅菌方法には、高圧蒸気滅菌法（ＡＣ滅菌法）、エチレンオキサイドガス滅菌法（ＥＯＧ滅菌法）、プラズマ滅菌法及び放射線滅菌法（γ線滅菌法や電子線滅菌法）等がある。把持柄２０がポリプロピレン製や、ポリカーボネート製等の場合の滅菌方法は、密封した滅菌バッグごと、ＥＯＧ滅菌法によって滅菌されるのが最適である。
【００５１】
薬液塗布部材１０がウレタンスポンジ製（厚さＴが２５ｍｍ、幅Wが５０ｍｍ、長さＨが５５ｍｍ）で、把持柄２０がポリプロピレン製のものを、ＥＯＧ滅菌後にメッキンバッグ（（株）ホギメディカル製）より取り出し、ポピヨドン液（（株）吉田製薬製、１０％ポピドンヨード）および０．５％ヘキザックアルコール液（（株）吉田製薬製、０．５％グルコン酸クロルヘキシジンエタノール消毒液）を薬液塗布部材１０に充分含浸させて、消毒液塗布模擬作業を行ったところ、薬液塗布部材１０が把持柄２０より外れることなく、安定した良好な消毒液塗布作業を実施できた。
【００５２】
この発明による医療用薬液塗布具用把持柄、医療用薬液塗布具の実施形態２を、図６〜図８を参照して説明する。なお、図６〜図８において、図１〜図５に対応する部分は、図１〜図５に付した符号と同一の符号を付けて、その説明を省略する。
【００５３】
実施形態２の薬液塗布部材１０の材質、形状・仕様は、後述する係止片４２が差し込まれる側部スリット状切り込みを除いて実施形態１と同一である。
【００５４】
実施形態２は、ポリエチレン（ＰＥ）に代表されるいわゆる柔らかい樹脂を用いても、薬液塗布部材１０と把持柄２０の固着を確固たるものとした形態であり、実施形態１に柔らかい樹脂を用いた場合には挟持片部２３が反ってしまうことを防止し、十分な把持能力が得られるようにしたものである。
【００５５】
前述したように、薬液塗布部材１０と把持柄２０の固着を確実にするのであれば、把持柄の材料には実施形態１のような、いわゆる硬い樹脂を用いることが第一選択となるが、硬い樹脂は放射線滅菌法にて滅菌を施すと、ポリプロピレン（ＰＰ）等のように劣化してしまう不向きなものが少なくない。また、放射線滅菌法はＥＯＧ滅菌法にある除ガス工程がないため、滅菌した日に出荷することが可能であり、顧客ニーズに即対応できる長所がある。
【００５６】
このことに対して、実施形態２では、医療用薬液塗布具の袋詰め後の滅菌消毒を電子線照射により行えるよう、把持柄２０が耐電子線照射性を有するポリエチレン（ＰＥ）により構成されている。ポリエチレンはポリプロピレンより柔らかい樹脂であるが、この実施形態でも、把持部２１の板面と帯状片部２２の板面とが、互いに９０度、回転変位した形状になっていることにより、把持柄２０の強度を確保できる。このことにより、使用時に、把持部２１が必要以上に曲がることが回避される。
【００５７】
また、特に、電子線滅菌法では、γ線滅菌法と比べ、線源である放射線物質の処理をする必要でなく、安全面、コスト面においてより長所がある。
【００５８】
なお、実施形態２に使用される把持柄２０は、ポリエチレン（ＰＥ）の他に、いわゆる柔らかい樹脂とされる塩化ビニル、ポリエチレン（ＰＥ）、四フッ化エチレン（ＦＥＰ）、及び可塑剤で柔らかくした樹脂（軟質塩ビなど）等であってもよい。
【００５９】
また、実施形態２においては、把持部２１の板面と帯状片部２２の板面とが、互いに９０度、回転変位した形状とし、把持柄２０の強度を確保することが望ましい。このことにより、使用時に、把持部２１が必要以上に曲がるが回避される。
【００６０】
実施形態２では、係止係合ピン３６に代えて、先端に逆止形状の鈎爪部４１を有する係止片４２が突出形成されている。逆止形状部３２の逆止面３４には鈎爪部４１が逆止係合可能な鈎爪部４３が形成されている。逆止形状部３２の逆止面３４より差し込み制限鍔２５の側には突出部４４が形成されており、突出部４４の端面４５と逆止形状部３２の逆止面３４とで係止片４２の進入溝４６を画定している。
【００６１】
実施形態２で用いられる薬液塗布部材１０には、図８に示されているように、係止片４２が差し込まれる側部スリット状切り込み１３が表裏両目に形成されている。
【００６２】
実施形態２における把持柄２０に対する薬液塗布部材１０の取り付けは、図６に示されているように、挟持片部２３が開いている状態で、薬液塗布部材１０の底部スリット状切り込み１２内に帯状片部２２を差し込む。この差し込みは、差し込み制限鍔２５が薬液塗布部材１０の底面１１に当接するまで行う。これにより、帯状片部２２に対する薬液塗布部材１０の差し込み量が、自ずと既定値になり、薬液塗布部材１０の底部１１の側は逆止形状部３２を乗り越える。
【００６３】
つぎに、図７に示されているように、挟持片部２３を、ヒンジ接続部２６を回動中心として帯状片部２２の側に回動されて係止片２７を進入溝３０内に進入させ、係止片２７の鈎爪部２８を差し込み制限鍔２５の鈎爪部２９に逆止係合させる。
【００６４】
これにより、薬液塗布部材１０は、帯状片部１１の逆止形状部３２の形成に倣って変形し、特に、薬液塗布部材１０の底部１１の側部分は逆止形状部３２を乗り越え、突出部４４に接した状態になる。
【００６５】
更に、この状態では、係止片４２が薬液塗布部材１０の側部スリット状切り込み１３に差し込まれてこれを貫通し、進入溝４６に進入した状態で、係止片４２の鈎爪部４１が逆止形状部３２の鈎爪部４３に逆止係合する。これにより、挟持片部２３の逆止係合状態が、より一層、確実になると共に、薬液塗布部材１０の把持柄２０に対する抜け止め装着が、より強固なものになる。
【００６６】
本実施形態では、係止片４２の鈎爪部４１と逆止形状部３２の鈎爪部４３との逆止係合状態では、係止片４２が進入溝４６に入り込み、係止片４２の背面側（逆止係合が離脱する側）への変位を、突起部４５によって阻止されているから、一旦、係止片４２の鈎爪部４１が逆止形状部３２の鈎爪部４３と逆止係合すると、それが外れることがなく、薬液塗部材１０の挟み込み式クランプが解除されることがない。
【００６７】
さらに強固な薬液塗布部材１０の把持柄２０に対する抜け止め装着を求める場合には、進入溝４６の位置に把持部方向から順に突出部４４、進入溝４６、鈎爪部４３及び端面４５と同様のものを設置し、これと対応するように鈎爪部４１が先端に付いた係止片４２と同様のものを挟持片部の係止片４２よりも把持部側に設置し、且つ薬液塗布部材１０に側部スリット状切り込み１３を増設すればよく、増設数は1組であっても複数組であってもよい。
【００６８】
薬液塗布部材１０がウレタンスポンジ製（厚さＴが２５ｍｍ、幅Ｗが５０ｍｍ、長さＨが５５ｍｍ）で、把持柄２０がポリエチレン製のものを、電子線照射による滅菌後にメッキンバッグ（（株）ホギメディカル製）より取り出し、ポピヨドン液（（株）吉田製薬製、１０％ポピドンヨード液）および０．５％ヘキザックアルコール液（（株）吉田製薬製、０．５％グルコン酸クロルヘキシジンエタノール消毒液）を薬液塗布部材１０に十分に含浸させて、消毒液塗布模擬作業を行ったところ、薬液塗布部材１０が把持柄２０より外れることなく、安定した良好な消毒液塗布作業を実施できた。
【００６９】
この発明による医療用薬液塗布具用把持柄、医療用薬液塗布具の実施形態３を、図９〜図１２を参照して説明する。なお、図９〜図１２においても、図１〜図５に対応する部分は、図１〜図５に付した符号と同一の符号を付けて、その説明を省略する。
【００７０】
実施形態３は、薬液塗布部材１０の材質、形状・仕様は、実施形態１と同一であるため、その説明も省略する。本実施形態の医療用薬液塗布具は、ウレタンスポンジ製の薬液塗布部材１０と、ポリエチレン製の把持柄２０により構成されている。
【００７１】
実施形態３は、実施形態２と同様に、耐放射線滅菌法（特に耐電子線照射性）を有するポリエチレン（ＰＥ）に代表される、いわゆる柔らかい樹脂を用いても、薬液塗布部材１０と把持柄２０の固着を確固たるものとした形態であり、且つ薬液塗布部材１０に切り込むスリットを底部スリット状切り込み１２のみ（側部スリット状切り込みを不要）としたものである。
【００７２】
実施形態２による係止片４２の鈎爪部４１と、逆止形状部３２の鈎爪部４３との逆止係合は非常に強い係合であるため、薬液塗布部材１０と把持柄２０の固着においては理想的なものであるが、薬液塗布部材１０に側部スリット状切り込みを必要とするため、該スリット状切り込みが不要になれば、製造コストをより抑えることができる。
【００７３】
そこで、実施形態３では、把持柄に柔らかい樹脂を用いても実際の消毒液塗布の使用に十分耐えられ、且つ側部スリット状切り込みが不要なより安価な医療用薬液塗布具としたものである。また、実施形態３においては、把持部２１の板面と帯状片部２２の板面とが、互いに９０度、回転変位した形状とし、把持柄２０の強度を確保することが望ましい。このことにより、使用時に、把持部２１が必要以上に曲がる（弾性変形）することが回避される。
【００７４】
実施形態３では、対をなす挟持片部２３が帯状片部２２と対向する板面の各々に、二つの押さえ突起部５１、５２が間隙５３をあけて互いに隣接して形成されている。押さえ突起部５１、５２が帯状片部２２と対向する先端面部には横方向セレーションのような細かい凹凸形状５４、５５が形成されている。
【００７５】
帯状片部２３には、押さえ突起部５１、５２の間隙５３に入り込む突片部５６が形成されている。
【００７６】
なお、実施形態３では、図５に示されている薬液塗布部材１０が用いられる。
【００７７】
実施形態３における把持柄２０に対する薬液塗布部材１０の取り付けは、図１０に示されているように、挟持片部２３が開いている状態で、薬液塗布部材１０の底部スリット状切り込み１２内に帯状片部２２を差し込む。この差し込みは、差し込み制限鍔２５が薬液塗布部材１０の底面１１に当接するまで行う。これにより、帯状片部２２に対する薬液塗布部材１０の差し込み量が、自ずと既定値になり薬液塗布部材１０の底部１１の側は逆止形状部３２を乗り越える。
【００７８】
つぎに、図１１に示されているように、挟持片部２３を、ヒンジ接続部２６を回動中心として帯状片部２２の側に回動されて係止片２７を進入溝３０内に進入させ、係止片２７の鈎爪部２８を差し込み制限鍔２５の鈎爪部２９に逆止係合させる。
【００７９】
この状態では、薬液塗布部材１０が逆止形状部３２を乗り越えた部分が、押さえ突起部５１、５２の細かい凹凸形状５４、５５と帯状片部２２との間に挟み込まれ、挟み込み式にクランプされる。
【００８０】
このクランプ状態では、薬液塗布部材１０が、帯状片部２２の逆止形状部３２の形成に倣って変形することに加えて、図１２に示されているように、逆止形状部３２の逆止面３４、押さえ突起部５２、間隙５３、突片部５６、押さえ突起部５１、差し込み制限顎２５とで、これらの間に、蛇行したラビリンス状の経路ができ、この経路に、薬液塗布部材１０の逆止形状部３２を乗り越えた部分が、圧縮変形した状態で入り込んだ状態となる。
【００８１】
このことにより、薬液塗布部材１０が把持柄２０に対して強く抜け止め装着される。また、挟持片部の厚さを厚くすることで前述した抜け止め装着はより強固にすることができる。
【００８２】
さらに強固な薬液塗布部材１０の把持柄２０に対する抜け止め装着を求める場合には、凹凸形状５４の付いた押さえ突起部５１と同様のものを１乃至複数増設してもよい。また差し込み制限鍔２５と突片部５６との間隔は、増設数に応じて適宜広げればよい（図面省略）。
【００８３】
薬液塗布部材１０がウレタンスポンジ製（厚さＴが２５ｍｍ、幅Ｗが５０ｍｍ、長さＨが５５ｍｍ）で、把持柄２０がポリエチレン製のものを、電子線照射による滅菌後にメッキンバッグ（（株）ホギメディカル製）より取り出し、ポピヨドン液（（株）吉田製薬製、１０％ポピドンヨード液）および０．５％ヘキザックアルコール液（（株）吉田製薬製、０．５％グルコン酸クロルヘキシジンエタノール消毒液）を薬液塗布部材１０に十分に含浸させて、消毒液塗布模擬作業を行ったところ、薬液塗布部材１０が把持柄２０より外れることなく、安定した良好な消毒液塗布作業を実施できた。
【図面の簡単な説明】
【００８４】
【図１】本発明による医療用薬液塗布具用把持柄の実施形態１を示す斜視図である。
【図２】本発明による医療用薬液塗布具の実施形態１の挟持片開き状態の要部の側面図である。
【図３】本発明による医療用薬液塗布具の実施形態１の挟持片逆止係合状態の要部の側面図である。
【図４】本発明による医療用薬液塗布具の実施形態１の要部の斜視図である。
【図５】本発明による医療用薬液塗布具に用いられる薬液塗布部材の一つの実施形態を示す斜視図である。
【図６】本発明による医療用薬液塗布具の実施形態２の挟持片開き状態の要部の側面図である。
【図７】本発明による医療用薬液塗布具の実施形態２の挟持片逆止係合状態の要部の側面図である。
【図８】本発明による医療用薬液塗布具に用いられる薬液塗布部材の他の実施形態を示す斜視図である。
【図９】本発明による医療用薬液塗布具用把持柄の実施形態３を示す斜視図である。
【図１０】本発明による医療用薬液塗布具の実施形態３の挟持片開き状態の要部の側面図である。
【図１１】本発明による医療用薬液塗布具の実施形態３の挟持片逆止係合状態の要部の側面図である。
【図１２】実施形態３による医療用薬液塗布具の挟持片の要部の拡大側面図である。
【符号の説明】
【００８５】
１０  薬液塗布部材
１１  底部
１２  底部スリット状切り込み
１３  側部スリット状切り込み
２０  把持柄
２１  把持部
２２  帯状片部
２３  挟持片部
２４  窪み
２５  差し込み制限鍔
２６  ヒンジ接続部
２７  係止片
２８、２９  鈎爪部
３０  進入溝
３１  補強板部
３２  逆止形状部
３３  傾斜面部
３４  逆止面
３５  薬液塗布部材入り込み凹部
３６  係止係合ピン
３７  円錐逆止部
３８  スロット
４１  鈎爪部
４２  係止片
４３  鈎爪部
４４  突出部
４５  端面
４６  進入溝
５１、５２  押さえ突起部
５３  間隙
５４、５５  凹凸形状
５６  突片部
【図１】
0004680969.tif 000002
【図２】
0004680969.tif 000003
【図３】
0004680969.tif 000004
【図４】
0004680969.tif 000005
【図５】
0004680969.tif 000006
【図６】
0004680969.tif 000007
【図７】
0004680969.tif 000008
【図８】
0004680969.tif 000009
【図９】
0004680969.tif 000010
【図１０】
0004680969.tif 000011
【図１１】
0004680969.tif 000012
【図１２】
0004680969.tif 000013